(57)【要約】【課題】フィルムの読み取り効率の向上を図ること。【解決手段】副走査方向に沿って移動可能に対向配置された透過用光源部および撮像素子を備え、透過用光源部から照射された光を撮像素子によって受光することでフィルムを読み取るスキャナ装置において、フィルムの読み取り指示があった場合（ステップＳ８０１：Ｙｅｓ）に、透過用光源部から照射された光の撮像素子における受光量を検出し（ステップＳ８０２）、検出された検出結果に基づいて位相合わせ処理をおこない（ステップＳ８０５）、光源と撮像素子との副走査方向における相対的な位置を補正するようにした。【選択図】図８
2007281566.tif 000002
【特許請求の範囲】
【請求項１】
原稿を保持する原稿台を間にして対向配置された光源および撮像素子を備え、前記光源
から照射された光を前記撮像素子によって受光することで光透過型の原稿を読み取る画像
読取装置において、
前記原稿の読み取り指示があった場合に、前記撮像素子における受光状態を検出する検
出手段と、
前記検出手段によって検出された結果に基づいて、前記光源と前記撮像素子との副走査
方向における相対的な位置を補正する補正手段と、
を備えることを特徴とする画像読取装置。
【請求項２】
前記検出手段は、前記撮像素子における受光量を検出することを特徴とする請求項１に
記載の画像読取装置。
【請求項３】
前記補正手段は、前記受光量が所定の値を下回る場合に、前記光源と前記撮像素子との
前記副走査方向における相対的な位置を補正することを特徴とする請求項２に記載の画像
読取装置。
【請求項４】
前記所定の値は、前記光源から照射された光の前記副走査方向における光量分布結果に
基づいて設定されていることを特徴とする請求項３に記載の画像読取装置。
【請求項５】
前記光源は、前記副走査方向における位置に応じて、主走査方向における照射幅を異な
らせた光を照射し、
前記検出手段は、前記撮像素子における受光幅を検出することを特徴とする請求項１に
記載の画像読取装置。
【請求項６】
前記補正手段は、前記受光幅が所定範囲外である場合に、前記光源と前記撮像素子との
前記副走査方向における相対的な位置を補正することを特徴とする請求項１に記載の画像
読取装置。
【請求項７】
前記光源および前記撮像素子の相対的な位置に応じて前記撮像素子が受光可能となる光
を照射する基準光源を備え、
前記検出手段は、前記撮像素子における受光パターンを検出することを特徴とする請求
項１に記載の画像読取装置。
【請求項８】
前記補正手段は、前記受光パターンに応じて、前記光源と前記撮像素子との前記副走査
方向における相対的な位置を補正することを特徴とする請求項７に記載の画像読取装置。
【発明の詳細な説明】
【技術分野】
【０００１】
この発明は、画像読取装置に関する。
【背景技術】
【０００２】
従来、原稿を間にして撮像素子とは反対側に配置された光源から照射され、フィルムな
どの光透過型の原稿（以下、「透過型原稿」という）を透過してから撮像素子に結像され
る光の強弱を検出することによって、透過型原稿の画像を光学的に読み取る読取機構を備
えた画像読取装置がある（たとえば、下記特許文献１参照。）。
【０００３】
このような画像読取装置には、光源および撮像素子が、副走査方向に沿って往復移動可
能に設けられているものがある。このような画像読取装置における光源および撮像素子は
、読取動作の起点となるホームポジションと、ホームポジションとは反対側に設けられて
ホームポジションへの移動を開始する折り返しポジションと、の間を移動する。
【０００４】
光源および撮像素子が副走査方向に沿って往復移動可能とされた画像読取装置には、光
源と撮像素子とが分離可能に設けられたものがある。このような画像読取装置には、たと
えば、画像読取装置の蓋部材などに光源および光源を移動させる移動機構を設け、撮像素
子を移動させるためのモータとは別の独立したモータによって光源を移動させるようにし
たものがある。この画像読取装置では、光源と撮像素子との副走査方向における相対的な
位置を合わせるためのセンサを設け、センサによって検出された検出結果に応じて光源と
撮像素子との同期をとっている。
【０００５】
光源と撮像素子とが分離可能に設けられた画像読取装置では、光源と撮像素子とを一旦
分離させた後に原稿の読み取りをおこなう場合に、光源と撮像素子との副走査方向におけ
る相対的な位置が原稿の読み取りに適した位置からずれてしまうことがあるため、原稿の
読み取り指示があった場合には、原稿の読み取り動作に先立って、光源と撮像素子との副
走査方向における相対的な位置を補正するようにしている。
【０００６】
【特許文献１】特開平６−１７８０５９号公報
【発明の開示】
【発明が解決しようとする課題】
【０００７】
ところで、光源と撮像素子とが分離可能に設けられた画像読取装置における光源と撮像
素子との副走査方向における相対的な位置は、以下の３つの状態が想定される。
（１）光源が撮像素子よりもホームポジション側に存在する状態
（２）光源が撮像素子よりも折り返しポジション側に存在する状態
（３）光源と撮像素子とがほぼ正対し、読み取り可能な状態
【０００８】
上述した（１）〜（３）の３つの状態のうち、光源と撮像素子との副走査方向における
相対的な位置の補正が必要な状態は、（１）および（２）の状態であるが、従来の技術で
は、（３）の状態にある場合にも、光源と撮像素子との副走査方向における相対的な位置
の補正がおこなわれるため、原稿を読み取る前に不必要な待機時間が発生し、原稿の読み
取り効率が悪いという問題がある。
【０００９】
この対策として、たとえば、光源と撮像素子との副走査方向における相対的な位置を合
わせるためのセンサを設け、センサによって検出された検出結果に応じて光源あるいは撮
像素子を移動させることによって光源と撮像素子との副走査方向における相対的な位置を
補正する場合、センサおよび検出結果に応じた制御をおこなう制御系が必要となり、装置
の製造コストが増加してしまうという問題がある。
【課題を解決するための手段】
【００１０】
この発明にかかる画像読取装置は、原稿を保持する原稿台を間にして対向配置された光
源および撮像素子を備え、前記光源から照射された光を前記撮像素子によって受光するこ
とで光透過型の原稿を読み取る画像読取装置において、前記原稿の読み取り指示があった
場合に、前記撮像素子における受光状態を検出する検出手段と、前記検出手段によって検
出された結果に基づいて、前記光源と前記撮像素子との副走査方向における相対的な位置
を補正する補正手段と、を備えることを特徴とする。
【００１１】
したがって、画像読取装置においては、原稿の読み取り指示があった場合の光源と撮像
素子との副走査方向における相対的な位置を、必要時に限って補正することができる。こ
れによって、画像読取装置は、原稿の読み取り指示があった場合の光源と撮像素子との副
走査方向における相対的な位置によっては補正をおこなうことなく原稿の読み取り動作を
開始することができるので、原稿の読み取り効率の向上を図ることができる。また、これ
によって、利用者は、原稿の画像を高精度に再現した画像データを、必要最小限の時間で
得ることができる。
【００１２】
また、この発明にかかる画像読取装置における前記検出手段は、前記撮像素子における
受光量を検出することを特徴とする。
【００１３】
したがって、画像読取装置においては、撮像素子における受光量に応じて、光源と撮像
素子との副走査方向における相対的な位置を合わせるためのセンサを用いることなく、光
源と撮像素子との副走査方向における相対的な位置を、必要時に限って補正することがで
きる。
【００１４】
これによって、画像読取装置は、製造コストを増加させることなく、光源および撮像素
子の副走査方向における相対的な位置を原稿の読み取りに適した位置に補正するとともに
、撮像素子における受光量が原稿の読み取りに十分な光量である場合には、光源と撮像素
子との副走査方向における相対的な位置を補正することなく原稿の読み取り動作を開始す
ることによって、原稿の読み取り効率の向上を図ることができる。
【００１５】
そして、これによって、利用者は、製造コストの増加を抑えた画像読取装置を用いて、
原稿の画像を高精度に再現した画像データを、必要最小限の時間で得ることができる。
【００１６】
また、この発明にかかる画像読取装置における前記補正手段は、前記受光量が所定の値
を下回る場合に、前記光源と前記撮像素子との前記副走査方向における相対的な位置を補
正することを特徴とする。
【００１７】
したがって、画像読取装置においては、所定の値を調整することで、光源と撮像素子と
の副走査方向における相対的な位置を合わせるためのセンサを用いることなく、光源と撮
像素子との副走査方向における相対的な位置を、必要時に限って精度良く補正することが
できる。
【００１８】
これによって、画像読取装置は、製造コストを増加させることなく、光源および撮像素
子の副走査方向における相対的な位置を原稿の読み取りに適した位置に精度良く補正する
とともに、撮像素子における受光量が原稿の読み取りに十分な光量である場合には、光源
と撮像素子との副走査方向における相対的な位置を補正することなく原稿の読み取り動作
を開始することによって、原稿の読み取り効率の向上を図ることができる。
【００１９】
そして、これによって、利用者は、製造コストの増加を抑えた画像読取装置を用いて、
原稿の画像を高精度に再現した画像データを、必要最小限の時間で得ることができる。
【００２０】
また、画像読取装置においては、検出手段によって検出された撮像素子における受光量
を、発光性能の低下など、光源において発生した異常の検出に利用することによって、画
像読取装置に対する利用者の信頼性の向上を期待することができる。
【００２１】
また、この発明にかかる画像読取装置における前記所定の値は、前記光源から照射され
た光の前記副走査方向における光量分布結果に基づいて設定されていることを特徴とする
。
【００２２】
したがって、画像読取装置においては、光源と撮像素子との副走査方向における相対的
な位置が、たとえば、実験などによって取得された光量分布結果に基づいて、原稿の読み
取りを適正におこなうことができる光量を得られることがあらかじめ確認された位置とな
るように、必要時に限って補正することができる。
【００２３】
これによって、画像読取装置は、利用者に対する画像読取装置への信頼性の向上を図る
ことができる。そして、これによって、利用者は、安心して画像読取装置を利用すること
ができる。
【００２４】
また、この発明にかかる画像読取装置における前記光源は、前記副走査方向における位
置に応じて、主走査方向における照射幅を異ならせた光を照射し、前記検出手段は、前記
撮像素子における受光幅を検出することを特徴とする。
【００２５】
したがって、画像読取装置においては、主走査方向における受光幅に応じて、光源と撮
像素子との副走査方向における相対的な位置を合わせるためのセンサを用いることなく、
光源と撮像素子との副走査方向における相対的な位置を、必要時に限って補正することが
できる。
【００２６】
これによって、画像読取装置は、製造コストを増加させることなく、光源および撮像素
子の副走査方向における相対的な位置を原稿の読み取りに適した位置に補正するとともに
、撮像素子における受光量が原稿の読み取りに十分な光量である場合には、光源と撮像素
子との副走査方向における相対的な位置を補正することなく原稿の読み取り動作を開始す
ることによって、原稿の読み取り効率の向上を図ることができる。
【００２７】
そして、これによって、利用者は、製造コストの増加を抑えた画像読取装置を用いて、
原稿の画像を高精度に再現した画像データを、必要最小限の時間で得ることができる。
【００２８】
また、この発明にかかる画像読取装置における前記補正手段は、前記受光幅が所定範囲
外である場合に、前記光源と前記撮像素子との前記副走査方向における相対的な位置を補
正することを特徴とする。
【００２９】
したがって、画像読取装置においては、所定範囲を調整することで、光源と撮像素子と
の副走査方向における相対的な位置を合わせるためのセンサを用いることなく、光源と撮
像素子との副走査方向における相対的な位置を、必要時に限って精度良く補正することが
できる。
【００３０】
これによって、画像読取装置は、製造コストを増加させることなく、光源および撮像素
子の副走査方向における相対的な位置を原稿の読み取りに適した位置に精度良く補正する
とともに、撮像素子における受光量が原稿の読み取りに十分な光量である場合には、光源
と撮像素子との副走査方向における相対的な位置を補正することなく原稿の読み取り動作
を開始することによって、原稿の読み取り効率の向上を図ることができる。
【００３１】
そして、これによって、利用者は、製造コストの増加を抑えた画像読取装置を用いて、
原稿の画像を高精度に再現した画像データを、必要最小限の時間で得ることができる。
【００３２】
また、この発明にかかる画像読取装置は、前記光源および前記撮像素子の相対的な位置
に応じて前記撮像素子が受光可能となる光を照射する基準光源を備え、前記検出手段は、
前記撮像素子における受光パターンを検出することを特徴とする。
【００３３】
したがって、画像読取装置においては、撮像素子における受光パターンに応じて、光源
と撮像素子との副走査方向における相対的な位置を合わせるためのセンサを用いることな
く、光源と撮像素子との副走査方向における相対的な位置を、必要時に限って補正するこ
とができる。
【００３４】
これによって、画像読取装置は、製造コストを増加させることなく、光源および撮像素
子の副走査方向における相対的な位置を原稿の読み取りに適した位置に補正するとともに
、撮像素子における受光量が原稿の読み取りに十分な光量である場合には、光源と撮像素
子との副走査方向における相対的な位置を補正することなく原稿の読み取り動作を開始す
ることによって、原稿の読み取り効率の向上を図ることができる。
【００３５】
そして、これによって、利用者は、製造コストの増加を抑えた画像読取装置を用いて、
原稿の画像を高精度に再現した画像データを、必要最小限の時間で得ることができる。
【００３６】
また、この発明にかかる画像読取装置における前記補正手段は、前記受光パターンに応
じて、前記光源と前記撮像素子との前記副走査方向における相対的な位置を補正すること
を特徴とする。
【００３７】
したがって、画像読取装置においては、受光パターンを任意のパターンに調整すること
で、光源と撮像素子との副走査方向における相対的な位置を合わせるためのセンサを用い
ることなく、光源と撮像素子との副走査方向における相対的な位置を、必要時に限って精
度良く補正することができる。
【００３８】
これによって、画像読取装置は、製造コストを増加させることなく、光源および撮像素
子の副走査方向における相対的な位置を原稿の読み取りに適した位置に精度良く補正する
とともに、撮像素子における受光量が原稿の読み取りに十分な光量である場合には、光源
と撮像素子との副走査方向における相対的な位置を補正することなく原稿の読み取り動作
を開始することによって、原稿の読み取り効率の向上を図ることができる。
【００３９】
そして、これによって、利用者は、製造コストの増加を抑えた画像読取装置を用いて、
原稿の画像を高精度に再現した画像データを、必要最小限の時間で得ることができる。
【発明を実施するための最良の形態】
【００４０】
（実施の形態１）
以下に添付図面を参照して、この発明にかかる画像読取装置の好適な実施の形態１を詳
細に説明する。この実施の形態１は、この発明にかかる画像読取装置を実現するスキャナ
装置への適用例を示す。
【００４１】
図１は、実施の形態１にかかるスキャナ装置の外観を示す斜視図である。はじめに、図
１を用いて、実施の形態１にかかるスキャナ装置の外観について説明する。図１に示すよ
うに、スキャナ装置１００は、本体ユニット１１０と、透過型原稿用光源ユニット（以下
、「ＴＰＵユニット」という）１２０と、を備えている。
【００４２】
ＴＰＵユニット１２０は、本体ユニット１１０に対して対向配置されており、図示しな
いヒンジ部を介して、本体ユニット１１０に連結されている。ＴＰＵユニット１２０は、
ヒンジ部を支点にして、図１に示す状態から本体ユニット１１０に対して離反する方向に
回動可能に連結されている。
【００４３】
図２は、スキャナ装置１００の縦断正面図である。つぎに、図２を用いて、実施の形態
１のスキャナ装置１００の概略構成について説明する。図２に示すように、スキャナ装置
１００は、本体ユニット１１０の外郭をなす本体ハウジング２１０と、ＴＰＵユニット１
２０の外郭をなすＴＰＵハウジング２３０と、を備えている。
【００４４】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００４５】
この実施の形態１では、開口部２１１および原稿台ガラス２１２によって読取窓が実現
され、本体ハウジング２１０における開口部２１１周辺部によって枠部材が実現されてい
る。原稿台ガラス２１２上には、読み取り対象となる原稿が載置される。
【００４６】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００４７】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが走査回路基板２１９上におい
て主走査方向に沿って直線的に配列されたリニアイメージセンサが、撮像素子２１７とし
て用いられている。
【００４８】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００４９】
スキャナキャリッジ２２０には、モータ２２２に連結された駆動機構２２３を介して、
動力源としてのモータ２２２で発生させた駆動力が伝達される。説明は後述するが、駆動
機構２２３は、モータ２２２の駆動軸に連結されたギア列や、ギア列を構成するギアと従
動ギア２２４との間に架けられた駆動ベルト２２５などによって構成されている。スキャ
ナキャリッジ２２０は、駆動ベルト２２５に連結されている。
【００５０】
スキャナキャリッジ２２０は、モータ２２２で発生させた駆動力が駆動機構２２３を介
して伝達されることによって、スキャナキャリッジ２２０用のホームポジションと折り返
しポジションとの間を、原稿台ガラス２１２に沿って副走査方向に移動する。スキャナキ
ャリッジ２２０用のホームポジションおよび折り返しポジションは、副走査方向に沿って
開口部２１１の端部よりも外側に設けられている。
【００５１】
上述した光学部材２１４は、スキャナキャリッジ２２０に搭載されている。光学部材２
１４は、スキャナキャリッジ２２０の移動にともなって、原稿台ガラス２１２に沿って副
走査方向に移動する。
【００５２】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００５３】
ＴＰＵハウジング２３０には、光源としての透過用光源部（図３参照）が設けられてい
る。透過用光源部は、写真用フィルムなどのような光透過型の原稿（以下、「フィルム」
という）の読み取り動作に際して使用され、原稿台ガラス２１２に向けて光を照射する。
透過用光源部から照射された光は、ＴＰＵユニット１２０に設けられた図示しない開口部
を介して、原稿台ガラス２１２に向けて照射される。
【００５４】
透過用光源部は、原稿台ガラス２１２に沿って副走査方向に移動可能に設けられており
、ＴＰＵユニット１２０に設けられた開口部は、透過用光源部によるフィルムの照射領域
をカバーするように設けられている。
【００５５】
また、ＴＰＵハウジング２３０には、上述したモータ２２２の駆動力を透過用光源部に
伝達する図示しない動力伝達機構が設けられている。詳細な図示および説明を省略するが
、ＴＰＵユニット１２０に設けられた動力伝達機構は、たとえば、駆動機構２２３に連結
されたプーリ群や駆動ベルト２３３および駆動ベルト２３３が架けられたギア対などによ
って構成されている。
【００５６】
透過用光源部は、モータ２２２で発生させた駆動力が、ＴＰＵユニット１２０に設けら
れた動力伝達機構を介して伝達されることによって、透過用光源部用のホームポジション
と折り返しポジションとの間を、原稿台ガラス２１２に沿って副走査方向に移動する。
【００５７】
ＴＰＵユニット１２０に設けられた動力伝達機構には、所定の大きさ以上の駆動力が透
過用光源部に伝達されないように、トルクリミッタ機能を備えている。なお、トルクリミ
ッタ機能を実現する具体的な構成については、公知の技術であるため、ここでは説明を省
略する。
【００５８】
透過用光源部用のホームポジションおよび折り返しポジションは、副走査方向に沿って
ＴＰＵユニット１２０に設けられた開口部の端部よりも外側に設けられている。スキャナ
装置１００においては、スキャナキャリッジ２２０用のホームポジションおよび折り返し
ポジション間の距離が、透過用光源部用のホームポジションおよび折り返しポジション間
の距離よりも長くなるように設けられている。
【００５９】
この実施の形態１において、ＴＰＵハウジング２３０に設けられた動力伝達機構は、保
護マット２３２がＴＰＵハウジング２３０から取り外されている場合にモータ２２２に連
結され、モータ２２２の駆動力を透過用光源部に伝達するように構成されている。透過用
光源部は、保護マット２３２がＴＰＵハウジング２３０から取り外されている場合に限っ
て、スキャナキャリッジ２２０とともに、モータ２２２の駆動力を受けて副走査方向に沿
って移動する。
【００６０】
フィルムの読み取り動作に際しては、原稿台ガラス２１２の上、すなわち、本体ユニッ
ト１１０とＴＰＵユニット１２０の間にフィルムフォルダ２４０が設置される。フィルム
フォルダ２４０は、原稿台ガラス２１２上におけるフィルム用の読取位置にフィルムが設
置されるように、フィルムの設置位置を案内するとともに、設置されたフィルムを読取位
置に固定する部材である。
【００６１】
図３は、透過用光源部を示す分解斜視図である。つぎに、図３を用いて、透過用光源部
の構成について説明する。図３に示すように、透過用光源部３００は、ＬＥＤ３０１と、
ＬＥＤ３０１によって発光された光を伝播させる導光板３０２と、を備えている。導光板
３０２には、ＬＥＤ３０１によって発光された光を開口部３０６へ向けて照射する為のパ
ターン形状、もしくはパターン印刷が施されており、これによって、ＬＥＤ１個あたりの
照射面積よりも広い面積を照射することができる。なお、図３中、導光板３０２に表記さ
れた仮想線は、導光板３０２における有効発光エリアを示している。
【００６２】
導光板３０２中を伝播された光は、プリズムシート３０４および拡散シート３０３を介
して、支持フレーム３０５に設けられた開口部３０６から、原稿台ガラス２１２に向けて
照射される。開口部３０６は、導光板３０２に表記された有効発光エリアと同じ形状で開
口するように設けられている。プリズムシート３０４および拡散シート３０３を介するこ
とにより、導光板３０２中を伝播された光をより広い面積に、より均一に照射することが
できる。
【００６３】
透過用光源部３００において、導光板３０２を間にして開口部３０６とは反対側には、
導光板３０２中を伝播された光を開口部３０６へ向けて反射させる反射板３０７が設けら
れている。反射板３０７を設けることによって、導光板３０２中を伝播された光を、効率
よく原稿台ガラス２１２側へ照射することができる。
【００６４】
図３中符号３０８は、透過用光源部３００を駆動ベルト２３３に固定する固定部である
。固定部３０８は、支持フレーム３０５の側方に設けられており、原稿台ガラス２１２側
から駆動ベルト２３３を狭持するように、上方に向けて開口している。
【００６５】
また、図３中符号３０９は、ＴＰＵハウジング２３０に設けられた図示しないガイドレ
ールが嵌め合わされるガイド溝である。ガイドレールは、副走査方向に沿って延出するよ
うに設けられており、これによって透過用光源部３００を副走査方向に沿って安定して移
動させることができる。
【００６６】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、紙などの光を透過しない原稿（反射型の原稿
）の画像を読み取る指示操作や、フィルムの画像を読み取る指示操作などを受け付ける。
【００６７】
また、図示を省略するが、スキャナ装置１００は、各種制御に際して用いるデータを記
憶するメモリを備えている。メモリには、たとえば、後述する判定用の閾値などが記憶さ
れている。なお、スキャナ装置１００は、パーソナルコンピュータなどの外部装置との間
で通信をおこなう通信Ｉ／Ｆを備えていてもよい。図示を省略するが、この場合、スキャ
ナ装置１００は、パーソナルコンピュータにおいて受け付けた指示操作に応じたコマンド
を、通信Ｉ／Ｆを介して受信する。
【００６８】
スキャナ装置１００は、操作パネルを介して受け付けた指示操作や、通信Ｉ／Ｆを介し
て受信したコマンドに応じて、スキャナキャリッジ２２０を移動させたり、反射用光源２
１５や透過用光源部３００を点灯／消灯させたり、撮像素子２１７に結像された光を光電
変換することによって画像データを生成したりする。
【００６９】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。
【００７０】
図４〜図６は、透過用光源部３００と撮像素子２１７との相対的な位置を示す説明図（
その１）〜（その３）である。つぎに、図４〜図６を用いて、透過用光源部３００と撮像
素子２１７との副走査方向における相対的な位置について説明する。上述した（１）〜（
３）の状態として説明したように、透過用光源部３００と撮像素子２１７との副走査方向
における相対的な位置は、図４〜図６に示す３つの状態が想定される。
【００７１】
図４に示す状態は、透過用光源部３００が撮像素子２１７よりもホームポジション側に
存在する状態を示している。図５に示す状態は、透過用光源部３００が撮像素子２１７よ
りも折り返しポジション側に存在する状態を示している。図６に示す状態は、透過用光源
部３００と撮像素子２１７とがほぼ正対し、読み取り可能な状態を示している。
【００７２】
ここで、透過用光源部３００と撮像素子２１７との副走査方向における相対的な位置を
補正する位相合わせ動作について説明する。位相合わせ動作に際しては、はじめに、ＴＰ
Ｕユニット１２０に設けられた動力伝達機構とモータ２２２とが連結された状態で、モー
タ２２２を駆動して、スキャナキャリッジ２２０を折り返しポジションまで移動させる。
【００７３】
そして、スキャナキャリッジ２２０を折り返しポジションまで移動させた後、さらにモ
ータ２２２を駆動して、スキャナキャリッジ２２０を折り返しポジションからホームポジ
ションまで移動させる。このように、位相合わせ動作は、透過用光源部３００とともにス
キャナキャリッジ２２０を往復移動させることによって実現される。
【００７４】
なお、スキャナキャリッジ２２０が折り返しポジションあるいはホームポジションまで
移動したことは、所定の位置にセンサを設けることによって検出することができる。スキ
ャナキャリッジ２２０の位置を検出するためのセンサおよびセンサを用いたスキャナキャ
リッジ２２０の位置を検出する技術については公知の技術であるため説明を省略する。
【００７５】
上述したように、スキャナ装置１００においては、スキャナキャリッジ２２０のホーム
ポジションおよび折り返しポジション間の距離が、透過用光源部３００のホームポジショ
ンおよび折り返しポジション間の距離よりも長くなるように設けられている。このため、
図４に示した（１）の状態では、折り返しポジションまで移動したスキャナキャリッジ２
２０が折り返しポジションからホームポジションまで移動する間に、透過用光源部３００
が透過用光源部３００用のホームポジションに突き当たる。
【００７６】
この状態で、モータ２２２をさらに駆動すると、ＴＰＵユニット１２０に設けられた動
力伝達機構が有するトルクリミッタ機能によって、透過用光源部３００をホームポジショ
ンに位置づけた状態で、スキャナキャリッジ２２０がホームポジションまで移動する。ス
キャナキャリッジ２２０がホームポジションまで移動した時点で、透過用光源部３００と
撮像素子２１７との位相合わせが完了する。
【００７７】
また、図５に示した（２）の状態では、スキャナキャリッジ２２０がホームポジション
から折り返しポジションまで移動する間に、透過用光源部３００が、透過用光源部３００
用の折り返しポジションに突き当たる。
【００７８】
この状態で、モータ２２２をさらに駆動すると、ＴＰＵユニット１２０に設けられた動
力伝達機構が有するトルクリミッタ機能によって、透過用光源部３００を折り返しポジシ
ョンに位置づけた状態で、スキャナキャリッジ２２０が折り返しポジションまで移動する
。
【００７９】
その後、折り返しポジションからホームポジションへのスキャナキャリッジ２２０の移
動にともなって、透過用光源部３００も折り返しポジションからホームポジションへ移動
するが、透過用光源部３００の移動距離がスキャナキャリッジ２２０の移動距離よりも短
いことから、スキャナキャリッジ２２０が折り返しポジションからホームポジションまで
移動する間に、透過用光源部３００が透過用光源部３００用のホームポジションに突き当
たる。
【００８０】
これによって、図４に示した（１）の状態のときと同様に、スキャナキャリッジ２２０
が、ホームポジションまで移動した時点で、透過用光源部３００と撮像素子２１７との位
相合わせが完了する。
【００８１】
図７は、透過用光源部３００の副走査方向の照射光量分布を示すグラフである。つぎに
、図７を用いて、上述した判定用の閾値について詳細に説明する。図７において、縦軸は
撮像素子２１７における受光量、横軸は透過用光源部３００の有効発光エリアの副走査方
向位置を示している。横軸両端は、有効発光エリアの副走査方向の限界に相当する。
【００８２】
図７中、グラフを横切る実線７０１は、原稿の読み取りが可能な光量の下限値を示して
いる。また、図７中、グラフを横切る点線７０２は、透過用光源部３００と撮像素子２１
７との移動中における相対的な位置のばらつきを考慮した光量の下限値を示している。実
施の形態１では、点線７０２によって示される光量値が、判定用の閾値として設定されて
いる。
【００８３】
透過用光源部３００と撮像素子２１７とが移動している場合、透過用光源部３００ある
いは撮像素子２１７の駆動に関わる機構のガタ、バックラッシ、歯車の偏芯などの理由に
よって、透過用光源部３００と撮像素子２１７との副走査方向における相対的な位置にば
らつきが生じる。点線７０２は、このようなばらつきが生じた場合にも、原稿の読み取り
が可能な光量が得られるように、あらかじめ光量ロス分を減じた値に設定されている。
【００８４】
図７から分かるように、原稿の読み取りに十分な照射光量は、透過用光源３００の有効
発光エリアの副走査方向の限界から一定距離離れた範囲内に存在する場合に得られる。
【００８５】
なお、原稿の読み取りが可能な光量の下限値、ばらつきを考慮した下限値、および図７
に示す光量分布は、スキャナ装置１００の設計時など、スキャナ装置１００を製造する以
前にあらかじめ測定し、検証することによって取得することができる。
【００８６】
図８は、スキャナ装置１００がおこなう処理を示すフローチャート（その１）である。
図８に示す処理は、原稿の読み取り動作に先立っておこなわれる。図８のフローチャート
において、まず、原稿の読み取りを開始する指示操作（図８中、「開始指示操作」と記載
）があるまで待機し（ステップＳ８０１：Ｎｏ）、指示操作があった場合（ステップＳ８
０１：Ｙｅｓ）には、撮像素子２１７によって受光された光の受光量を検出する（ステッ
プＳ８０２）。ステップＳ８０２における受光量の検出に関わる各部および当該各部を用
いた各種制御によって検出手段としての機能が実現される。
【００８７】
つぎに、ステップＳ８０２において検出された受光量が判定用の閾値以上であるか否か
を判定する（ステップＳ８０３）。判定用の閾値以上である場合（ステップＳ８０３：Ｙ
ｅｓ）には、原稿の読み取り動作をおこなう各部を制御する制御系に対して、原稿の読み
取りを開始させるための開始コマンドを出力して（ステップＳ８０４）、一連の処理を終
了する。
【００８８】
一方、ステップＳ８０２において検出された受光量が判定用の閾値未満である場合（ス
テップＳ８０３：Ｎｏ）には、上述した位相合わせ動作をおこなわせる位相合わせ処理を
おこなって（ステップＳ８０５）、透過用光源部３００と撮像素子２１７との副走査方向
における相対的な位置を補正してから、ステップＳ８０４へ移行する。ステップＳ８０５
における位相合わせ処理に関わる各部および当該各部を用いた各種制御によって補正手段
としての機能が実現される。
【００８９】
上述したように、実施の形態１のスキャナ装置１００によれば、上述した位相合わせ処
理を、フィルムの読み取り指示があった時点での透過用光源部３００と撮像素子２１７と
の副走査方向における相対的な位置に応じて、必要時に限っておこなうことができる。
【００９０】
これによって、スキャナ装置１００は、フィルムの読み取り指示があった時点の透過用
光源部３００と撮像素子２１７との副走査方向における相対的な位置によっては、位相合
わせ処理をおこなうことなくフィルムの読み取り動作を開始することができるので、フィ
ルムの読み取り効率の向上を図ることができる。そして、これによって、利用者は、フィ
ルムの画像を高精度に再現した画像データを、必要最小限の時間で得ることができる。
【００９１】
また、スキャナ装置１００によれば、透過用光源部３００と撮像素子２１７との副走査
方向における相対的な位置を合わせるためのセンサを用いることなく、透過用光源部３０
０と撮像素子２１７との副走査方向における相対的な位置を、必要時に限って補正するこ
とができる。
【００９２】
これによって、スキャナ装置１００は、スキャナ装置１００の製造コストを増加させる
ことなく、透過用光源部３００および撮像素子２１７の副走査方向における相対的な位置
をフィルムの読み取りに適した位置に補正するとともに、撮像素子２１７における受光量
が原稿の読み取りに十分な光量である場合には、位相合わせ処理をおこなうことなくフィ
ルムの読み取り動作を開始することによって、フィルムの読み取り効率の向上を図ること
ができる。
【００９３】
そして、これによって、利用者は、製造コストの増加を抑えたスキャナ装置１００を用
いて、フィルムの画像を高精度に再現した画像データを、必要最小限の時間で得ることが
できる。
【００９４】
また、スキャナ装置１００においては、図８に示した処理において検出された撮像素子
２１７における受光量に基づいて、透過用光源部３００からの発光量の経時的な変化を監
視し、発光性能の低下など、光源において発生した異常の検出に利用することもできる。
このように、検出結果を別の処理に利用することで、スキャナ装置１００に対する利用者
の信頼性の向上を期待することができる。
【００９５】
また、実施の形態１では、透過用光源部３００から照射された光の副走査方向における
光量分布結果に基づいて設定された判定用の閾値を用いて、位相合わせ処理をおこなうか
否かを判定することで、透過用光源部３００と撮像素子２１７との副走査方向における相
対的な位置を、フィルムの読み取りを適正におこなうことができる光量を得られることが
あらかじめ確認された位置となるように、確実に補正することができる。
【００９６】
これによって、スキャナ装置１００は、利用者に対するスキャナ装置１００への信頼性
の向上を図ることができる。そして、これによって、利用者は、安心してスキャナ装置１
００を利用することができる。
【００９７】
（実施の形態２）
つぎに添付図面を参照して、この発明にかかる画像読取装置の好適な実施の形態２を詳
細に説明する。この実施の形態２も、上述した実施の形態１と同様、この発明にかかる画
像読取装置を実現するスキャナ装置への適用例を示す。実施の形態２においては、上述し
た実施の形態１との相違点を主に説明する。実施の形態２にかかるスキャナ装置において
、実施の形態１と同一部分は同一符号で示し、説明も省略する。
【００９８】
図９は、実施の形態２にかかる透過用光源部の発光形状を示す説明図である。実施の形
態２の透過用光源部３００における支持フレーム３０５には、図９に示す形状の開口部３
０６が設けられている。開口部３０６において、点線によって区切られる２つの領域９０
１、９０２のうち、図９中大きい方の長方形の領域９０１が、上述した有効発光エリアに
相当する。撮像素子２１７は、図９中符号Ｌで示す幅に相当する受光幅を有する。
【００９９】
領域９０２は、透過用光源部３００と撮像素子２１７との副走査方向における相対的な
位置に応じた撮像素子２１７における受光量のばらつきを考慮して設定されている。ここ
で、受光量のばらつきは、上述したように、透過用光源部３００と撮像素子２１７とが移
動している場合に、透過用光源部３００あるいは撮像素子２１７の駆動に関わる機構のガ
タ、バックラッシ、歯車の偏芯などの理由によって、透過用光源部３００と撮像素子２１
７との副走査方向における相対的な位置にばらつきが生じることによって発生する。
【０１００】
副走査方向において、領域９０２の位置は、上述した受光量のばらつきが発生した場合
にも、原稿の読み取りが可能な光量を確保できる範囲内に設けられている。実施の形態２
では、領域９０１の主走査方向の寸法よりも長く、主走査方向において領域９０１および
領域９０２を合わせた寸法までの長さが、判定用の閾値範囲として設定されている。
【０１０１】
図１０は、透過用光源部３００と撮像素子２１７との相対的な位置を示す説明図（その
１）である。図１０においては、透過用光源部３００の発光位置と撮像素子２１７におけ
る受光幅との関係が示されている。図１０中符号１００１によってあらわされる形状は、
実施の形態２における透過用光源部３００の発光形状をあらわしている。図１０に示すよ
うに、撮像素子２１７における受光幅は、撮像素子２１７が、透過用光源部３００におけ
るいずれの位置から照射された光を受光したかに応じて異なる。
【０１０２】
たとえば、撮像素子２１７が、透過用光源部３００における図１０中一点鎖線Ａの位置
から照射された光を受光した場合、受光量は（Ａ）のグラフ１００２によって示されるパ
ターンであらわされる。また、たとえば、撮像素子２１７が、透過用光源部３００におけ
る図１０中一点鎖線Ｂの位置から照射された光を受光した場合、受光量は（Ｂ）のグラフ
１００３によって示されるパターンであらわされる。
【０１０３】
図１１は、スキャナ装置１００がおこなう処理を示すフローチャート（その２）である
。図１１のフローチャートにおいて、まず、原稿の読み取りを開始する指示操作（図１１
中、「開始指示操作」と記載）があるまで待機し（ステップＳ１１０１：Ｎｏ）、指示操
作があった場合（ステップＳ１１０１：Ｙｅｓ）には、撮像素子２１７によって受光され
た光の受光幅を検出する（ステップＳ１１０２）。ステップＳ１１０２における受光幅の
検出に関わる各部および当該各部を用いた各種制御によって検出手段としての機能が実現
される。
【０１０４】
つぎに、ステップＳ１１０２において検出された受光幅が判定用の閾値以上であるか否
かを判定する（ステップＳ１１０３）。判定用の閾値以上である場合（ステップＳ１１０
３：Ｙｅｓ）には、原稿の読み取り動作をおこなう各部を制御する制御系に対して、原稿
の読み取りを開始させるコマンドを出力して（ステップＳ１１０４）、一連の処理を終了
する。
【０１０５】
一方、ステップＳ１１０２において検出された受光幅が判定用の閾値未満である場合（
ステップＳ１１０３：Ｎｏ）には、上述した位相合わせ動作をおこなわせる位相合わせ処
理をおこなって（ステップＳ１１０５）、透過用光源部３００と撮像素子２１７との副走
査方向における相対的な位置を補正してから、ステップＳ１１０４へ移行する。ステップ
Ｓ１１０５における位相合わせ処理に関わる各部および当該各部を用いた各種制御によっ
て補正手段としての機能が実現される。
【０１０６】
上述したように、実施の形態２のスキャナ装置１００によれば、上述した位相合わせ処
理を、透過用光源部３００と撮像素子２１７との副走査方向における相対的な位置を合わ
せるためのセンサを用いることなく、フィルムの読み取り指示があった時点での透過用光
源部３００と撮像素子２１７との副走査方向における相対的な位置に応じて、必要時に限
っておこなうことができる。
【０１０７】
これによって、スキャナ装置１００は、製造コストを増加させることなく、透過用光源
部３００と撮像素子２１７との副走査方向における相対的な位置を原稿の読み取りに適し
た位置に補正するとともに、フィルムの読み取り指示があった時点の透過用光源部３００
と撮像素子２１７との副走査方向における相対的な位置によっては、位相合わせ処理をお
こなうことなくフィルムの読み取り動作を開始することができるので、フィルムの読み取
り効率の向上を図ることができる。
【０１０８】
そして、これによって、利用者は、製造コストの増加を抑えたスキャナ装置１００を用
いて、フィルムの画像を高精度に再現した画像データを、必要最小限の時間で得ることが
できる。
【０１０９】
（実施の形態３）
つぎに添付図面を参照して、この発明にかかる画像読取装置の好適な実施の形態３を詳
細に説明する。この実施の形態３も、上述した実施の形態１および２と同様、この発明に
かかる画像読取装置を実現するスキャナ装置への適用例を示す。実施の形態３においては
、上述した実施の形態１あるいは２との相違点を主に説明する。実施の形態３にかかるス
キャナ装置において、実施の形態１および２と同一部分は同一符号で示し、説明も省略す
る。
【０１１０】
図１２は、実施の形態３にかかる透過用光源部３００の発光形状を示す説明図である。
実施の形態３の透過用光源部３００における支持フレーム３０５には、図１２に示す形状
の開口部３０６が設けられている。図１２中点線によって仕切られる２つの領域１２０１
、１２０２のうち長方形の領域１２０１が、上述した有効発光エリアに相当する。撮像素
子２１７は、図１２中符号Ｌで示す幅に相当する受光幅を有する。
【０１１１】
実施の形態３の透過用光源部３００における開口部３０６の形状は、単純な矩形ではな
く副走査方向に延びる一辺を副走査方向に対して傾斜させることで、副走査方向において
ホームポジション側と折り返しポジション側とが非対称となる形状とされている。これに
より、透過用光源部３００と撮像素子２１７との副走査方向における相対的な位置に応じ
て、撮像素子２１７における受光幅が異なり、透過用光源部３００と撮像素子２１７との
副走査方向における相対的な位置および受光幅の間に一定の関係が成立する。
【０１１２】
図１３は、透過用光源部３００と撮像素子２１７との相対的な位置を示す説明図（その
２）である。図１３においては、透過用光源部３００の発光位置と撮像素子２１７におけ
る受光幅との関係が示されている。図１３中符号１３０１によってあらわされる形状は、
実施の形態３における透過用光源部３００の発光形状をあらわしている。図１３に示すよ
うに、撮像素子２１７における受光幅は、撮像素子２１７が、透過用光源部３００におけ
るいずれの位置から照射された光を受光したかに応じて異なる。
【０１１３】
たとえば、撮像素子２１７が、透過用光源部３００における図１３中一点鎖線Ａの位置
から照射された光を受光した場合、受光量は（Ａ）のグラフ１３０２によって示されるパ
ターンであらわされる。また、たとえば、撮像素子２１７が、透過用光源部３００におけ
る図１３中一点鎖線Ｂの位置から照射された光を受光した場合、受光量は（Ｂ）のグラフ
１３０３によって示されるパターンであらわされる。
【０１１４】
図１３中、符号１３０４、１３０５は、副走査方向において、上述した受光量のばらつ
きが発生した場合にも、原稿の読み取りが可能な光量を確保できる範囲を示す境界位置で
ある。境界位置１３０４、１３０５は、透過用光源部３００と撮像素子２１７との副走査
方向における相対的な位置に応じた撮像素子２１７における受光量のばらつきを考慮して
設定されている。受光量のばらつきは、上述と同様の原因によって発生する。
【０１１５】
副走査方向において、境界位置１３０４、１３０５の位置は、上述した受光量のばらつ
きが発生した場合にも、原稿の読み取りが可能な光量を確保できる範囲内に設けられてい
る。実施の形態３では、開口部３０６において、主走査方向における境界位置１３０４部
分の寸法よりも長く、主走査方向において境界位置１３０５部分の寸法までの長さが、判
定用の閾値範囲として設定されている。
【０１１６】
図１４は、スキャナ装置１００がおこなう処理を示すフローチャート（その３）である
。図１４のフローチャートにおいて、まず、原稿の読み取りを開始する指示操作があるま
で待機し（ステップＳ１４０１：Ｎｏ）、指示操作があった場合（ステップＳ１４０１：
Ｙｅｓ）には、撮像素子２１７によって受光された光の受光幅を検出する（ステップＳ１
４０２）。ステップＳ１４０２における受光幅の検出に関わる各部および当該各部を用い
た各種制御によって検出手段としての機能が実現される。
【０１１７】
つぎに、ステップＳ１４０２において検出された受光幅が判定用の閾値範囲内であるか
否かを判定する（ステップＳ１４０３）。判定用の閾値範囲内である場合（ステップＳ１
４０３：Ｙｅｓ）には、原稿の読み取り動作をおこなう各部を制御する制御系に対して、
原稿の読み取りを開始させる開始コマンドを出力して（ステップＳ１４０４）、一連の処
理を終了する。
【０１１８】
一方、ステップＳ１４０２において検出された受光幅が判定用の閾値範囲外である場合
（ステップＳ１４０３：Ｎｏ）には、検出された受光幅に基づいて、透過用光源部３００
が撮像素子２１７よりもホームポジション側にあるか否かを判定する（ステップＳ１４０
５）。
【０１１９】
ステップＳ１４０５において、透過用光源部３００が撮像素子２１７よりもホームポジ
ション側にある場合（ステップＳ１４０５：Ｙｅｓ）には、透過用光源部３００および撮
像素子２１７をホームポジション側に移動させる位相合わせ動作をおこなわせる位相合わ
せ処理をおこなって（ステップＳ１４０６）、透過用光源部３００と撮像素子２１７との
副走査方向における相対的な位置を補正してからステップＳ１４０４へ移行する。ステッ
プＳ１４０６における位相合わせ処理に関わる各部および当該各部を用いた各種制御によ
って補正手段としての機能が実現される。
【０１２０】
一方、ステップＳ１４０５において、透過用光源部３００が撮像素子２１７よりもホー
ムポジション側にない場合（ステップＳ１４０５：Ｎｏ）には、上述した実施の形態１お
よび２で説明した位相合わせ動作をおこなわせる位相合わせ処理をおこなって（ステップ
Ｓ１４０７）、透過用光源部３００と撮像素子２１７との副走査方向における相対的な位
置を補正してからステップＳ１４０４へ移行する。ステップＳ１４０７における位相合わ
せ処理に関わる各部および当該各部を用いた各種制御によって補正手段としての機能が実
現される。
【０１２１】
このように、実施の形態３のスキャナ装置１００によれば、上述した実施の形態２にお
いて説明した効果に加えて、透過用光源部３００と撮像素子２１７とが対向している場合
において、透過用光源部３００および撮像素子２１７のどちらが、どの程度ホームポジシ
ョン側に位置しているかを判断することができる。
【０１２２】
したがって、実施の形態３のスキャナ装置１００は、透過用光源部３００が撮像素子２
１７よりもホームポジション側に位置している状態では、透過用光源部３００および撮像
素子２１７を、折り返しポジション側へ移動させることなく、ホームポジション側に移動
させる位相合わせ動作をおこなうことによって、透過用光源部３００と撮像素子２１７と
の副走査方向における相対的な位置を原稿の読み取りに適した位置に補正することができ
る。
【０１２３】
これによって、スキャナ装置１００は、位相合わせ処理に要する時間を短縮することが
できるので、位相合わせ処理をおこなう場合にも、フィルムの読み取り効率の向上を図る
ことができる。
【０１２４】
（実施の形態４）
つぎに添付図面を参照して、この発明にかかる画像読取装置の好適な実施の形態４を詳
細に説明する。この実施の形態４も、上述した実施の形態１〜３と同様、この発明にかか
る画像読取装置を実現するスキャナ装置への適用例を示す。実施の形態４においては、上
述した実施の形態１、２あるいは３との相違点を主に説明する。実施の形態４にかかるス
キャナ装置において、実施の形態１〜３と同一部分は同一符号で示し、説明も省略する。
【０１２５】
図１５は、透過用光源部３００の発光形状を示す説明図である。実施の形態２の透過用
光源部３００における支持フレーム３０５には、図１５に示す形状の開口部３０６、１５
０１が設けられている。開口部１５０１は、フィルムの読み取りに影響しない位置であっ
て、撮像素子２１７における受光可能範囲内に設けられている。実施の形態４においては
、透過用光源部３００における開口部１５０１が、基準光源としての機能の一部を実現す
る。
【０１２６】
開口部１５０１は、透過用光源部３００と撮像素子２１７との副走査方向における相対
的な位置に応じた撮像素子２１７における受光量のばらつきを考慮して設定されている。
受光量のばらつきは、上述したような理由によって発生する。副走査方向において、開口
部１５０１の位置は、上述した受光量のばらつきが発生した場合にも、原稿の読み取りが
可能な光量を確保できる範囲内に設けられている。実施の形態４では、開口部３０６、１
５０１の双方から発光された光を受光した場合の受光パターンが、判定用のパターンとし
て設定されている。
【０１２７】
図１６は、透過用光源部３００と撮像素子２１７との相対的な位置を示す説明図（その
３）である。図１６においては、透過用光源部３００の発光位置と撮像素子２１７におけ
る受光幅との関係が示されている。図１６中符号１６０１によってあらわされる形状は、
実施の形態４における透過用光源部３００の発光形状をあらわしている。図１６に示すよ
うに、撮像素子２１７における受光パターンは、撮像素子２１７が、透過用光源部３００
におけるいずれの位置から照射された光を受光したかに応じて異なる。
【０１２８】
たとえば、撮像素子２１７が、透過用光源部３００における図１６中一点鎖線Ａの位置
から照射された光を受光した場合、受光量は（Ａ）のグラフ１６０２によって示されるパ
ターンであらわされる。また、たとえば、撮像素子２１７が、透過用光源部３００におけ
る図１６中一点鎖線Ｂの位置から照射された光を受光した場合、受光量は（Ｂ）のグラフ
１６０３によって示されるパターンであらわされる。
【０１２９】
図１７は、スキャナ装置１００がおこなう処理を示すフローチャート（その４）である
。図１７のフローチャートにおいて、まず、原稿の読み取りを開始する指示操作があるま
で待機し（ステップＳ１７０１：Ｎｏ）、指示操作があった場合（ステップＳ１７０１：
Ｙｅｓ）には、撮像素子２１７によって受光された光の受光パターンを検出する（ステッ
プＳ１７０２）。ステップＳ１７０２における受光パターンの検出に関わる各部および当
該各部を用いた各種制御によって検出手段としての機能が実現される。
【０１３０】
つぎに、ステップＳ１７０２において検出された受光パターンが、判定用のパターンで
あるか否かを判定する（ステップＳ１７０３）。ステップＳ１７０３においては、開口部
３０６のみのパターンであるか、開口部３０６および開口部１５０１を含むパターンであ
るかを判定する。
【０１３１】
ステップＳ１７０３において、判定用のパターンである場合（ステップＳ１７０３：Ｙ
ｅｓ）には、原稿の読み取り動作をおこなう各部を制御する制御系に対して、原稿の読み
取りを開始させる開始コマンドを出力して（ステップＳ１７０４）、一連の処理を終了す
る。
【０１３２】
一方、ステップＳ１７０３において、ステップＳ１７０２において検出された受光パタ
ーンが判定用のパターンではない場合（ステップＳ１７０３：Ｎｏ）には、上述した位相
合わせ動作をおこなわせる位相合わせ処理をおこなって（ステップＳ１７０５）、透過用
光源部３００と撮像素子２１７との副走査方向における相対的な位置を補正してから、ス
テップＳ１７０４へ移行する。ステップＳ１７０５における位相合わせ処理に関わる各部
および当該各部を用いた各種制御によって補正手段としての機能が実現される。
【０１３３】
上述したように、スキャナ装置１００によれば、透過用光源部３００と撮像素子２１７
との副走査方向における相対的な位置を合わせるためのセンサを用いることなく、透過用
光源部３００と撮像素子２１７との副走査方向における位置を、必要時に限って補正する
ことができる。
【０１３４】
これによって、スキャナ装置１００は、製造コストを増加させることなく、透過用光源
部３００および撮像素子２１７の副走査方向における相対的な位置を原稿の読み取りに適
した位置に補正するとともに、透過用光源部３００と撮像素子２１７との副走査方向にお
ける相対的な位置によっては位相合わせ処理をおこなわずにフィルムの読み取り動作を開
始することによって、フィルムの読み取り効率の向上を図ることができる。
【０１３５】
そして、これによって、利用者は、製造コストの増加を抑えたスキャナ装置１００を用
いて、フィルムの画像を高精度に再現した画像データを、必要最小限の時間で得ることが
できる。
【０１３６】
なお、上述した各実施の形態１〜４では、透過用光源部３００と撮像素子２１７とを単
一のモータ２２２の駆動力によって駆動するようにしたが、これに限るものではない。透
過用光源部３００を移動させる駆動系と撮像素子２１７を移動させる駆動系とを設けて、
透過用光源部３００と撮像素子２１７とを個々に移動させてもよい。
【０１３７】
また、上述した各実施の形態１〜４では、透過用光源部３００と撮像素子２１７との副
走査方向における相対的な位置を検出するセンサを用いずに、透過用光源部３００と撮像
素子２１７との副走査方向における相対的な位置を補正するようにしたが、これに限るも
のではない。透過用光源部３００と撮像素子２１７との副走査方向における相対的な位置
を検出するセンサを設け、当該センサからの出力値を利用して、透過用光源部３００と撮
像素子２１７との副走査方向における相対的な位置を補正するようにしてもよい。
【０１３８】
いずれの場合にも、透過用光源部３００と撮像素子２１７との副走査方向における相対
的な位置が、原稿の読み取りに適した位置である場合には、透過用光源部３００と撮像素
子２１７との副走査方向における相対的な位置を補正することなく原稿の読み取り動作を
開始することによって、原稿の読み取り効率の向上を図ることができる。
【０１３９】
なお、上述した各実施の形態１〜４では、この発明にかかる画像読取装置をスキャナ装
置１００へ適用した例について説明したが、これに限るものではない。たとえば、上述し
た各実施の形態１〜４で説明したスキャナ装置１００と、スキャナ装置１００が備える撮
像素子２１７に入射された光の強弱に応じた画像を被記録媒体上に形成する画像形成装置
と、を備える複合機へ適用してもよい。
【図面の簡単な説明】
【０１４０】
【図１】実施の形態１にかかるスキャナ装置の外観を示す斜視図。
【図２】スキャナ装置の縦断正面図。
【図３】透過用光源部を示す分解斜視図。
【図４】透過用光源部と撮像素子との相対的な位置を示す説明図（その１）。
【図５】透過用光源部と撮像素子との相対的な位置を示す説明図（その２）。
【図６】透過用光源部と撮像素子との相対的な位置を示す説明図（その３）。
【図７】透過用光源部の副走査方向の照射光量分布を示すグラフ。
【図８】スキャナ装置がおこなう処理を示すフローチャート（その１）。
【図９】実施の形態２にかかる透過用光源部の発光形状を示す説明図。
【図１０】透過用光源部と撮像素子との相対的な位置を示す説明図（その１）。
【図１１】スキャナ装置がおこなう処理を示すフローチャート（その２）。
【図１２】実施の形態３にかかる透過用光源部の発光形状を示す説明図。
【図１３】透過用光源部と撮像素子との相対的な位置を示す説明図（その２）。
【図１４】スキャナ装置がおこなう処理を示すフローチャート（その３）。
【図１５】実施の形態４にかかる透過用光源部の発光形状を示す説明図。
【図１６】透過用光源部と撮像素子との相対的な位置を示す説明図（その３）。
【図１７】スキャナ装置がおこなう処理を示すフローチャート（その４）。
【符号の説明】
【０１４１】
１００  スキャナ装置、２１７  撮像素子、３００  透過用光源部
【図１】
2007281566.tif 000003
【図２】
2007281566.tif 000004
【図３】
2007281566.tif 000005
【図４】
2007281566.tif 000006
【図５】
2007281566.tif 000007
【図６】
2007281566.tif 000008
【図７】
2007281566.tif 000009
【図８】
2007281566.tif 000010
【図９】
2007281566.tif 000011
【図１０】
2007281566.tif 000012
【図１１】
2007281566.tif 000013
【図１２】
2007281566.tif 000014
【図１３】
2007281566.tif 000015
【図１４】
2007281566.tif 000016
【図１５】
2007281566.tif 000017
【図１６】
2007281566.tif 000018
【図１７】
2007281566.tif 000019